(57)【要約】【課題】コンテンツのページ送りを使用者の所望するレイアウト表示で実行する。【解決手段】可撓性を有する表示部１１を収納部１２から引き出し、展開される表示面１３にコンテンツを表示する。姿勢検出部は、装置の姿勢を判定する。引き出し長検出部は、表示部１１の引き出し長を検出する。ＣＰＵは、姿勢検出部と引き出し長検出部とから得られる情報に基づいて、上縦長、下縦長、左横長、及び右横長との４つの姿勢のうちのいずれの姿勢であるかを判定し、判定した一姿勢に基づいて、表示部１１に対して表示するべきコンテンツの表示開始位置５３を決め、決めた表示開始位置５３に表示原点が合うようにコンテンツ５４をレイアウトして表示面１３に表示するように各部を制御する。【選択図】図５
2014010597.tif 000002
【特許請求の範囲】
【請求項１】
収納部から引き出される表示部にコンテンツを表示する表示装置において、
前記表示装置の姿勢を検出する姿勢検出手段と、
前記表示部の引き出し長、又は巻き取り長を検出する引き出し長検出手段と、
前記姿勢検出手段と前記引き出し長検出手段とから得られる情報に基づいて、前記表示部に表示するコンテンツの表示開始位置を決め、前記決められた表示開始位置に表示原点が合うようにコンテンツを表示する表示制御手段と、
を備えたことを特徴とする表示装置。
【請求項２】
請求項１記載の表示装置において、
前記表示制御手段は、前記表示部の引き出し長に応じて表示中のコンテンツをスクロールし、スクロールすることで露呈される領域に、新たなコンテンツを追加表示するように表示を制御する構成であることを特徴とする表示装置。
【請求項３】
請求項１又は２記載の表示装置において、
前記表示制御手段は、引き出された前記表示部を前記収納部に巻き取る長さに応じて表示中のコンテンツをスクロールすることを特徴とする表示装置
【請求項４】
請求項１から３のいずれか１項に記載の表示装置において、
前記表示制御手段は、前記表示部を引き出し、及び巻き取りをする操作を行うことによって、表示中のコンテンツをページ送りすることを特徴とする表示装置。
【請求項５】
請求項１から４のいずれか１項に記載の表示装置において、
前記姿勢検出手段は、前記表示装置の使用者と前記表示装置との相対的な姿勢を検出し、
前記表示制御手段は、前記相対的な姿勢に基づいて前記コンテンツの表示開始位置を決める、
ことを特徴とする表示装置。
【請求項６】
請求項１から５のいずれか１項に記載の表示装置において、
前記表示制御手段は、前記表示部の引き出し、あるいは巻き取り操作と、外部に設けた操作部での操作との組み合わせにより、表示中のコンテンツの表示を任意に変更するようにした構成であることを特徴とする表示装置。
【請求項７】
収納部と前記収納部から引き出される表示部との姿勢を検出するステップと、
前記表示部の引き出し長を検出するステップと、
前記姿勢の検出、及び前記引き出し長の検出とから得られる情報に基づいて前記表示部に表示するコンテンツの表示開始位置を決め、前記決めた表示開始位置に表示原点が合うように前記コンテンツを表示するステップと、
を含むことを特徴とする表示方法。
【発明の詳細な説明】
【技術分野】
【０００１】
本発明は、コンテンツを表示する表示方法及び表示装置に関する。
【背景技術】
【０００２】
従来、可撓性の表示面を有する表示部を収納部に巻き取り収納することができる携帯電話機が知られている。収納部には、表示部の一側部が接続された巻取展開軸が回転自在に内蔵されている。表示部は、収納部の開口部より引き出すことで展開可能となっている。表示制御部は、巻取展開軸を駆動制御して表示面が表示情報の表示サイズに対応する大きさとなるように表示部の展開量を制御し、表示部に情報を表示する。また、表示部の展開量に応じて表示情報の表示サイズを変更して表示する（特許文献１）。
【０００３】
ところで、表示情報（コンテンツ）には、ページレイアウトソフトやワープロソフト等でページ毎に作成されるページコンテンツがある。しかし前述した特許文献１に記載の発明では、単に画像やページコンテンツを表示面に表示することは記載されているものの、次の画像やページコンテンツをどの位置にどの方向に表示するかについては記載がない。連続するコンテンツの表示の向きや順番がおかしいと使用者にとって非常に読み難いものになる。
【先行技術文献】
【特許文献】
【０００４】
【特許文献１】国際公開第２００４／０８４１７１号パンフレット（図１、図３）
【発明の概要】
【発明が解決しようとする課題】
【０００５】
本発明は、コンテンツの表示を使用者が読み易いように表示することができるような表示方法及び表示装置を提供することを目的とする。
【課題を解決するための手段】
【０００６】
本発明を例示する表示装置の一態様は、収納部から引き出される表示部にコンテンツを表示する表示装置において、表示装置の姿勢を検出する姿勢検出手段と、前記表示部の引き出し長、又は巻き取り長を検出する引き出し長検出手段と、前記姿勢検出手段と前記引き出し長検出手段とから得られる情報に基づいて、前記表示部に表示するコンテンツの表示開始位置を決め、前記決められた表示開始位置に表示原点が合うようにコンテンツを表示する表示制御手段と、を備えたものである。
【発明の効果】
【０００７】
本発明によれば、姿勢検出手段と引出長検出手段とから得られる情報に基づいて表示部に対して表示するべきコンテンツの表示開始位置を決め、決めた表示開始位置に表示原点が合うようにコンテンツをレイアウトして表示するため、複数のコンテンツを使用者にとって読み易いレイアウトで表示することができる。
【図面の簡単な説明】
【０００８】
【図１】本発明の表示装置を示す斜視図である。
【図２】表示装置の電気的概略を示すブロック図である。
【図３】初期引き出し操作の動作手順を示すフローチャートである。
【図４】上縦長の姿勢時に初回の引出し操作により表示されるコンテンツのレイアウトを示す斜視図である。
【図５】下縦長の姿勢時に初回の引出し操作により表示されるコンテンツのレイアウトを示す斜視図である。
【図６】左横長の姿勢時に初回の引出し操作により表示されるコンテンツのレイアウトを示す斜視図である。
【図７】右横長の姿勢時に初回の引出し操作により表示されるコンテンツのレイアウトを示す斜視図である。
【図８】２回目の引き出し操作の動作手順を示すフローチャートである。
【図９】上縦長の姿勢時に２回目の引出し操作により表示されるコンテンツのレイアウトを示す斜視図である。
【図１０】下縦長の姿勢時に２回目の引出し操作により表示されるコンテンツのレイアウトを示す斜視図である。
【図１１】左横長の姿勢時に２回目の引出し操作により表示されるコンテンツのレイアウトを示す斜視図である。
【図１２】右横長の姿勢時に２回目の引出し操作により表示されるコンテンツのレイアウトを示す斜視図である。
【図１３】巻き取り操作時の動作手順を示すフローチャートである。
【図１４】上縦長の姿勢時に巻き取り操作により表示されるコンテンツのレイアウトを示す斜視図である。
【図１５】下縦長の姿勢時に巻き取り操作により表示されるコンテンツのレイアウトを示す斜視図である。
【図１６】左横長の姿勢時に巻き取り操作により表示されるコンテンツのレイアウトを示す斜視図である。
【図１７】右横長の姿勢時に巻き取り操作により表示されるコンテンツのレイアウトを示す斜視図である。
【図１８】引き出し操作と巻き取り操作を交互に行うことでコンテンツを順方向にページ送りする状態を示す説明図である。
【図１９】引き出し操作と巻き取り操作を交互に行うことでコンテンツを逆方向にページ送りする他の例を示す説明図である。
【図２０】右横長の姿勢時に１：１のアスペクト比のコンテンツを表示する例を示す説明図である。
【図２１】上縦長の姿勢時に１：１のアスペクト比のコンテンツを表示する例を示す説明図である。
【発明を実施するための最良の形態】
【０００９】
本発明の表示装置１０は、図１に示すように、帯状の表示部１１が収納部１２にロール状に巻回した形態で収納されている。表示部１１は、柔軟性や可撓性を有する、例えばEL（Electro Luminescence）や高分子液晶フィルム等の材料で形成されており、ロール時に内となる内面に、コンテンツを表示するための表示面１３が設けられている。収納部１２の内部には、表示部１１の長手方向の一端が係止される巻き取り軸１４が回転自在に配置される。表示部１１の他端、すなわち引き出し開始端１５には、端部１６が設けられている。端部１６には、操作部１７が設けられている。操作部１７には、「進む」ボタン１８、「戻る」ボタン１９、及び電源ボタン２０等が設けられている。
【００１０】
「進む」ボタン１８は、続きのコンテンツを追加表示するための操作部材である。なお、続きのコンテンツとしては、コンテンツ単位で追加表示してもよいし、コンテンツの一部を追加表示してもよい。また、「進む」ボタン１８としては、続きのコンテンツを追加表示するため操作部材の代わりに、現在表示してあるコンテンツの一部を消去して、新しいコンテンツを表示してもよいし、コンテンツのサイズを、例えば縮小サイズに変更して、新たなコンテンツを、例えば全体的に表示するための操作部材としてもよい。
【００１１】
「戻る」ボタン１９は、前回の表示に戻す時に操作する。なお、「戻る」ボタン１９としては、前回のコンテンツを表示する代わりに、現在表示してあるコンテンツの一部を消去して、前回表示したコンテンツを表示してもよいし、コンテンツのサイズを、例えば縮小サイズに変更して、前回のコンテンツを、例えば全体的に表示するための操作部材としてもよい。
表示部１１は、端部１６をつまんで収納部１２から引き出すことで巻き取り軸１４が従動回転して、出入口２１から外部に向けて平面状に引き出される。
【００１２】
なお、収納部１２には、巻き取り用バネとロック機構が設けられている。巻き取り用バネは、巻き取り軸１４を巻き取り方向に付勢する。ロック機構は、表示部１１の引き出し、又は巻き取り完了時に巻き取り軸１４の巻き取り方向への回転をロックし、そして、表示部１１を僅かに引き出すことで前記ロックを解除して表示部１１の引き出し、又は巻き取りを許容する。
【００１３】
また、表示部１１としては、モータや給送機構を収納部１２の内部に設けて表示部１１の引き出し、及び巻き取りを自動的に行ってもよい。この場合、引出しボタン、及び巻き取りボタンを設ける。また、表示部１１の全てを巻き取る時には、解除ボタンを設けて、解除ボタンを操作することで給送機構との連係を解除して巻き取り軸１４をフリーにするとともに、巻き取り軸１４をバネにより巻戻し方向に付勢させて、バネの付勢を利用して表示部１１を全て巻き戻すように構成してもよい。
【００１４】
表示装置１０は、図２に示すように、姿勢検出部２５、引き出し長検出部２６、ＲＡＭ２８、ＲＯＭ２９、電源コントローラ３０、バッテリ３１、ＩＦドライバ３２、操作部１７、表示ドライバ３４、表示部１１、カードコントローラ３５、カードスロット３６、ＵＳＢコントローラ３７、ＵＳＢコネクタ３８、無線送受信部３９、無線ドライバ４０、及びこれらを統括的に制御するＣＰＵ４１等で構成されている。なお、これらは収納部１２に内蔵されている。
【００１５】
無線ドライバ４０は、無線送受信部３９と無線接続されるアクセスポイント４２を介してコンテンツサーバ４３からコンテンツを取得する。カードコントローラ３５は、カードスロット３６にセットされるカードメモリ４６からコンテンツを取得する。ＵＳＢコントローラ３７は、ＵＳＢコネクタ３８に接続されるＰＣ（パーソナルコンピュータ）や、デジタルカメラ等の外部記憶装置４７からコンテンツを取得する。ＲＡＭ２８は、コンテンツデータをストレージする。ＲＯＭ２９には、表示制御用のプログラム等が格納されている。電源コントローラ３０は、電源ボタン２０のオン操作に応答して各部にバッテリ３１の電源を供給し、またオフ操作に応答して前記電源供給を遮断する。
【００１６】
姿勢検出部２５は、表示装置１０の姿勢を検出するセンサで、例えば、加速度センサとジャイロセンサからなるセンサにより表示面１３の向きを４方向の姿勢で検出する。４方向の姿勢は、表示面１３を手前にして端部１６を収納部１２から上に引き出した上縦長、下に引き出した下縦長、左に引き出した左横長、及び右に引き出した右横長との４つの姿勢となっている。
【００１７】
引き出し長検出部２６は、収納部１２の内部で表示部１１の両端をニップするニップローラと、ニップローラの回転角を検出するパルスセンサとを含むエンコーダで構成されており、表示部１１の引き出し長、又は巻き取り長を検出する。なお、引き出し長検出部２６としては、エンコーダの代わりに、例えば表示面１３の長手方向にリボン状の曲率センサを積層して配することで、屈曲している部分と平坦部の長さを検出する構成としてもよい。
【００１８】
表示ドライバ３４は、ＶＲＡＭを有し、表示部１１を駆動してＶＲＡＭに一旦記憶されたコンテンツデータを表示させる。ＶＲＡＭには、ＣＰＵ４１を介してＲＡＭ２８からコンテンツデータが転送される。ＣＰＵ４１は画像処理部４５を有する。画像処理部４５は、引き出し量とその時点での表示装置１０の姿勢との情報に応じ決められた初期表示、追加表示、及びスクロール表示となるようにコンテンツデータの画像処理を行う。
【００１９】
なお、バッテリ３１や各部を構成する電気基板は、収納部１２の内部のうち、巻き取り軸１４の回転を阻害しない空間に配置するのが好適である。また、有機ＥＬを表示部１１として使用する場合には、可撓性を有する有機ＴＦＴ等のドライバ回路を表示面１３と幅方向の端との間に配置してもよい。
さらに、電気基板や表示部１１を収納部１２と分離し、互いを有線、あるいは無線接続する構成にして携帯性や収納性を向上させることも可能である。
【００２０】
上記構成の作用を説明する。なお、以下では、電子化された書籍、雑誌、及び新聞等のコンテンツを表示する表示装置１０として説明する。
コンテンツデータは、カードメモリ４６や外部記憶装置４７から読み込むことや、無線送受信部３９を使ってコンテンツサーバ４３から手動、あるいは自動的に受信することでＲＡＭ２８に取得される。これは、電源オフの時でも行われる。
【００２１】
ユーザがコンテンツの特定ページを表示して読む場合には、図３に示すように、電源ボタン２０をオンにする（Ｓ−１）。その後、ＣＰＵ４１は、引き出し長検出部２６と姿勢検出部２５とを監視する（Ｓ−２）。
ユーザは、端部１６をつまんで表示部１１を出入口２１から一方向に引き出す。この引き出し操作を引き出し長検出部２６から得られる情報に基づいてＣＰＵ４１が検出する（Ｓ−３）。これにより、ＣＰＵ４１は、引き出し長検出部２６と姿勢検出部２５とから得られる情報に基づいて（Ｓ−４）、検出された姿勢に基づいてコンテンツが以下のように表示されるように、画像処理部４５を制御してコンテンツを表示面１３に表示させる。
【００２２】
上縦長の姿勢と検出した場合（Ｓ−５の「Ｙ」側）、図４に示すように、表示面１３を手前にして端部１６を収納部１２に対して上に引き出した姿勢となるので、引き出し開始端１５の左隅を表示開始位置５０としてこの位置に表示原点（座標原点）を合わせてコンテンツ５１を表示する（Ｓ−６）。
【００２３】
下縦長の姿勢と検出した場合（Ｓ−７の「Ｙ」側）、図５に示すように、端部１６を収納部１２に対して下に引き出した姿勢になるので、引き出し開始端１５の左隅５２から引き出し長分上にずらした位置を表示開始位置５３としてこの位置に表示原点を合わせてコンテンツ５４を表示する（Ｓ−８）。
【００２４】
左横長の姿勢と検出した場合（Ｓ−９の「Ｙ」側）、図６に示すように、端部１６を収納部１２に対して左に引き出した姿勢になるので、引き出し開始端１５の上隅を表示開始位置５５としてこの位置に表示原点を合わせてコンテンツ５６を表示する（Ｓ−１０）。
【００２５】
右横長の姿勢と検出した場合（Ｓ−９の「Ｎ」側）、図７に示すように、端部１６を収納部１２に対して右に引き出した姿勢になるので、引き出し開始端１５の上隅５７から引き出し長分左にずらした位置を表示開始位置５８としてこの位置に表示原点を合わせてコンテンツ５９を表示する（Ｓ−１１）。
【００２６】
ここで、表示面１３への表示は、引き出された領域、すなわち収納部１２から外部に露呈されている領域上で行われ、巻き取られている領域、すなわち収納部１２に収納されている領域は非表示にしている。これにより、ＣＰＵ４１や画像処理部４５での処理負荷や消費電力の抑制を図ることができる。
【００２７】
前述した表示の動作手順は、ユーザが表示部１１を引き出し始めた時の表示処理について説明している。その後、続きのコンテンツを読み進める場合には、表示部１１をさらに引き出す操作を行う。ＣＰＵ４１は、図8に示すように、引き出し長検出部２６と姿勢検出部２５とを監視し（Ｓ−１２）、引き出し長検出部２６から得られる情報に基づいて、表示部１１をさらに引き出す操作であると判断すると（Ｓ−１３の「Ｙ」側）、その時点での姿勢検出部２５から得られる姿勢情報に基づいて、追加で表示するページを以下のようにレイアウトするように画像処理部４５を制御して表示部１１に表示させる。同図に示す「初期引き出し長」とは表示部１１を最初に引き出した長さ、「追加引き出し長」は次に引き出した長さを示す。
【００２８】
上縦長の姿勢と検出した場合（Ｓ−１５の［Ｙ］側）、図９に示すように、初期表示コンテンツ６０の下側を次の表示領域６１とする。すなわち、新たに引き出された部分に追加コンテンツ６２の表示が追加されていく（Ｓ−１６）。
【００２９】
下縦長の姿勢と検出した場合（Ｓ−１７の［Ｙ］側）、図１０に示すように、追加で引き出された領域６３に初期表示コンテンツ６４が移動（スクロール）し、その下側を次の表示領域６５とし、次の表示領域６５に追加コンテンツ６６を表示する（Ｓ−１８））。
【００３０】
左横長の姿勢と検出した場合（Ｓ−１９の「Ｙ」側）、図１１に示すように、初期表示コンテンツ６７の右側に次の表示領域６８を設定し、次の表示領域６８に追加コンテンツ６９を表示する（Ｓ−２０）。
【００３１】
右横長の姿勢と検出した場合（Ｓ−１９の「Ｎ」側）、図１２に示すように、追加で引き出された領域７０に初期表示コンテンツ７１が移動（スクロール）し、その右側に次の表示領域を設定し、次の表示領域７２に追加コンテンツ７３を表示する（Ｓ−２１）。
【００３２】
このように、表示部１１を追加引き出しする操作を行う毎にコンテンツが継続的に表示されるが、表示部１１を全部引き出した状態で、さらにコンテンツの表示内容を追加するには、操作部１７の「進む」ボタン１８を操作することで行える。
【００３３】
また、ＣＰＵ４１は、図１３に示すように、引き出し長検出部２６と姿勢検出部２５とを監視し（Ｓ−２２）、引き出し長検出部２６から得られる情報に基づいて、表示部１１を巻き取る操作を検出すると（Ｓ−２３の「Ｙ」側）、ＣＰＵ４１は、その時点の表示装置１０の姿勢に応じて、以下のような表示制御を行う。
【００３４】
上縦長の姿勢と検出した場合には（Ｓ−２５の「Ｙ」側）、図１４に示すように、表示部１１の巻き取り操作７４に応答して、表示中のコンテンツ７５、７６を巻き取り長の分だけ上に移動（スクロールアウト）するように表示し、かつ巻き取られた領域７７に表示されていたコンテンツ７８を非表示する（Ｓ−２６）。
【００３５】
下縦長の姿勢と検出した場合には（Ｓ−２７の「Ｙ」側）、図１５に示すように、表示部１１の巻き取り操作７９に関わらず、表示していたコンテンツ８０，８１を表示部１１に対して移動表示させずに、巻き取られた領域８２に表示されていたコンテンツ８３を非表示にする（Ｓ−２８）。
【００３６】
左横長の姿勢と検出した場合には（Ｓ−２９の「Ｙ」側）、図１６に示すように、表示部１１の巻き取り操作８４に応答して、表示中のコンテンツ８５，８６を巻き取り長に応じて左に移動（スクロールアウト）するように表示し、かつ巻き取られた領域８７に表示されていたコンテンツ８８を非表示にする（Ｓ−３０）。
【００３７】
右横長の姿勢と検出した場合（Ｓ−２９の「Ｎ」側）、図１７に示すように、表示部１１の巻き取り操作８９に関わらず、表示していたページ画像９０，９１は表示部１１に対して移動表示させずに、巻き取られた領域９２に表示されていたページ画像９３を非表示にする（Ｓ−３１）。
【００３８】
その後、ＣＰＵ４１は、引き出し長検出部２６からの情報に基づいて、再度表示部１１を引き出す操作を検出すると、図８で説明した「Ｓ−１２」の動作に戻り、図７〜図１４で説明した表示制御を繰り返す手順になる。つまり、表示部１１がコンテンツ７５を表示している状態（図１８（Ａ））から表示部１１に対して巻き取り操作と（同図（Ｂ））、引き出し操作と（同図（Ｃ））とを交互に行うことに応答して、表示中のコンテンツ７５が順方向（引き出し方向）に送られ、これに伴って新たなコンテンツ７６が同方向に送られるページ順送りを行うように制御する。このとき、部分的な引き出し、又は巻き取り操作であれば、１ページ単位で、また、表示部１１の全ての引き出し、又は巻き取り操作であれば、複数ページをまとめて送る複数ページ送りが行える。このため、コンテンツの種類やユーザの鑑賞・閲覧スタイルに合わせた柔軟な情報表示が可能になる。なお、コンテンツを前回の表示に戻す操作は、操作部１７に設けた「戻る」ボタン１９を操作することで行える。
【００３９】
このように、表示部１１を全部引き出すことなく、僅かな巻き取りによっても続きのコンテンツが表示されるため、表示部１１を僅かに引き出した状態でもコンテンツを閲覧・鑑賞することが可能になる。これは例えば、狭い場所や即座にコンテンツを利用したい状況下等でユーザの利便性を向上することができる。
【００４０】
なお、上記実施形態では、図１８で説明したように、巻き取り操作、及び引き出し操作を行うことでページ順送りとなるように制御しているが、逆に、図１９（Ａ）〜同図（Ｃ）に示すように、巻き取り操作と引き出し操作とを交互に行うことに応答して、表示中のコンテンツ７５が逆方向（巻き取り方向）に送られ、代わりに、前頁であるコンテンツ９４が戻されて表示されるページ逆送りとなるように制御を行うようにしてもよい。
【００４１】
上記各実施形態では、帯状の表示部１１を収納部１２に巻回して収納しているが、本発明ではこれに限らず、シート状の表示部１１を収納部１２に巻回しないで、シート状のまま引き出し自在に収納する構成としてもよい。
上記各実施形態では、表示部１１の片側を表示面１３としているが、両面に表示面を設けてもよい。この場合には、所望する面を手前に向けて操作すればよい。
【００４２】
上記各実施形態では、表示部１１と巻き取り軸１４とが係止されている例として説明しているが、表示部１１と巻き取り軸１４とを着脱自在に取り付け、表示部１１の長手方向の両端のうちのどちらの端でも巻き取り軸１４に取り付けられるように構成してもよい。この場合には、表示面をどちらの面に設けても巻き取りが可能である。巻き取りの開始・終端をどちらにするかもユーザの任意で巻き取り軸１４に取り付け可能である。また、表示面１３を外側にして巻回してもよい。
【００４３】
また、表示部１１と巻き取り軸１４とを着脱自在に設ける実施形態では、引き出し開始端１５を検出する引き出し開始端検出部を設ける必要がある。引き出し開始端とは、表示部１１の巻き終わり部分、つまり表示部１１のうちの引き出した時の出入口２１との境になる端である。引き出し開始端検出部として、例えば照度センサを用いる場合には、明るい側を引き出し開始端とする構成や、感圧センサや静電容量センサを用いる場合には端部１６を持っているユーザの手や指を検出する構成にすればよい。
【００４４】
上記各実施形態では、操作部１７に「進む」ボタン１８や「戻る」ボタン１９を設けているが、操作部１７に設ける代わりに、表示面１３の外側の領域に設けてもよい。また、表示面１３上に表示した構成としてもよい。この場合、表示面１３上に可撓性を有するタッチパネルを設ければよい。そして、タッチパネルを利用して特定の操作（ジェスチャー操作）、例えば「指なぞり（スワイプ）」等を検知することに応答して実行するように構成しても良い。さらには、「送り」「戻し」といった機能を割り振ったエリアとアイコンを設ける構成としてもよい。 
【００４５】
上記各実施形態では、姿勢検出部２５から得られる情報に基づいてＣＰＵ４１が判定する４つの姿勢は、頭を上にしてユーザ（使用者）が読む姿勢を基準にして判定している。しかしながら、例えばユーザが右を下にして横に寝ている姿勢で表示装置１０を操作した場合、ＣＰＵ４１は右横長、又は左横長の姿勢であると判断するのに対し、ユーザは上縦長、又は下縦長の姿勢での表示レイアウトを所望するため、表示が見づらくなる。
【００４６】
そこで、ユーザの顔を撮影するためのカメラ部と、カメラ部から得られる顔画像に基づいてユーザの顔の姿勢を検出する顔姿勢検出部とを設け、検出した顔姿勢、例えば通常の垂直姿勢、右下寝、左下寝、逆寝等の姿勢に基づいて、姿勢検出部２５が検出する４つの姿勢を変換すればよい。例えば顔姿勢検出部から得られる情報に基づいて「右下寝」と判断した場合、姿勢検出部２５から得られる情報から判断した「右横長」の姿勢を、「上縦長」の姿勢に変換すれば、ユーザが横に寝ていても、寝ている方向を基準にしてコンテンツのレイアウト表示が行える。
【００４７】
さらに、表示部１１を引き出してコンテンツを表示している状態で表示装置１０を回転させた場合には、新たに変えた表示装置１０の姿勢に基づいて表示レイアウトを変更してもよい。また、新たに変えた表示装置１０の姿勢を変えても、最初の姿勢を検出した時に表示したコンテンツが未だ表示されている限り、この表示レイアウトを維持する構成としてもよい。 
【００４８】
本実施形態では、表示装置の姿勢が縦横自在であり、かつ引き出し開始端も表示部のどちらの端部でもよいとしているため、コンテンツは、図２０及び図２１に示すように、横アスペクトが１：１の正方ブロックを単位ページ９５として収めると収まりが良い。しかしながら、一般的なレターサイズのアスペクトでも表示装置１０の縦、又は横位置に合わせて表示可能範囲に拡大、あるいは縮小することで対応することができることは言うまでもない。
【符号の説明】
【００４９】
１０  表示装置
１１  表示部
１２  収納部
１３  表示面
１４  巻き取り軸
１５  引き出し開始端
１６  端部
１７  操作部
２１  出入口
【図１】
2014010597.tif 000003
【図２】
2014010597.tif 000004
【図３】
2014010597.tif 000005
【図４】
2014010597.tif 000006
【図５】
2014010597.tif 000007
【図６】
2014010597.tif 000008
【図７】
2014010597.tif 000009
【図８】
2014010597.tif 000010
【図９】
2014010597.tif 000011
【図１０】
2014010597.tif 000012
【図１１】
2014010597.tif 000013
【図１２】
2014010597.tif 000014
【図１３】
2014010597.tif 000015
【図１４】
2014010597.tif 000016
【図１５】
2014010597.tif 000017
【図１６】
2014010597.tif 000018
【図１７】
2014010597.tif 000019
【図１８】
2014010597.tif 000020
【図１９】
2014010597.tif 000021
【図２０】
2014010597.tif 000022
【図２１】
2014010597.tif 000023